(57)【要約】【課題】運転者が違和感を覚えることなく死角領域の映像を確認することのできる死角表示装置を提供する。【解決手段】死角領域Ｂのうち運転者が確認したい所定位置Ｆの映像を死角領域撮像カメラ３によって取得すると共に車内に設けられた死角領域表示モニタ９に表示する。また、この死角領域表示モニタ９を、所定位置Ｆと運転者Ｄの視点位置Ｐとの間に配置することで、死角領域Ｂのうち運転者Ｄが確認したい所定位置Ｆに対応する方向で当該所定位置Ｆの映像を表示することができる。これによって、確認したい所定位置Ｆと異なる方向に視線を移動させずに、運転者Ｄが違和感を覚えることなく死角領域Ｂの映像を確認することができる。【選択図】図２
2010030524.tif 000002
【特許請求の範囲】
【請求項１】
運転者の視界が遮られることにより生じる車両前側の低位置における死角領域のうち、所定位置の映像を取得する撮像手段と、
車内に設けられ、前記映像を表示する死角領域表示手段と、を備え、
前記死角領域表示手段は、表示される前記所定位置と前記運転者の視点位置との間に配置されていることを特徴とする死角表示装置。
【請求項２】
前記撮像手段は、前記死角領域のうちの助手席側の所定位置の映像を取得し、
前記死角領域表示手段は、インストルメントパネルの前記助手席側に設けられたモニタによって構成されていることを特徴とする請求項１記載の死角表示装置。
【請求項３】
前記撮像手段は、前記死角領域のうちの助手席側のフロントフェンダー横側位置の映像を取得し、
前記死角領域表示手段は、前記運転者の前記視点位置と前記フロントフェンダー横側位置との間に配置されていることを特徴とする請求項１または２記載の死角表示装置。
【請求項４】
前記車両のボンネット上に設けられ、前記死角領域のうちの助手席側の様子を映す補助ミラーを更に備え、
前記撮像手段は、前記死角領域のうちの助手席側のフロントフェンダー横側位置の映像を取得し、
前記死角領域表示手段は、前記運転者の前記視点位置と前記補助ミラーとの間に配置されていることを特徴とする請求項１または２記載の死角表示装置。
【請求項５】
前記車両の走行状態を推定する走行状態推定手段と、
運転者の運転を支援するための支援映像を表示する運転支援用表示手段とを更に備え、
前記走行状態推定手段は、前記車両の車速が所定の閾値以下である場合に、低速状態にあると推定し、
前記死角領域表示手段は、前記走行状態推定手段により前記車両が前記低速状態にあると推定された場合に、前記映像を表示し、
前記運転支援用表示手段は、前記走行状態推定手段により前記車両が前記低速状態にあると推定された場合に、前記支援映像を非表示とすることを特徴とする請求項１〜４のいずれか一項記載の死角表示装置。
【請求項６】
前記車両の走行状態を推定する走行状態推定手段を更に備え、
前記走行状態推定手段は、前記車両の車速が所定の閾値より大きい場合に、高速状態にあると推定し、
前記死角領域表示手段は、前記走行状態推定手段により前記車両が前記高速状態にあると推定された場合に、前記映像を非表示とすることを特徴とする請求項１〜４のいずれか一項記載の死角表示装置。
【請求項７】
前記車両の走行状態を推定する走行状態推定手段を更に備え、
前記走行状態推定手段は、前記車両が後退状態であるか否かを推定し、
前記死角領域表示手段は、前記走行状態推定手段により前記車両が前記後退状態にあると推定された場合に、前記映像を非表示とすることを特徴とする請求項１〜４のいずれか一項記載の死角表示装置。
【発明の詳細な説明】
【技術分野】
【０００１】
本発明は、車両前側の低位置における死角領域を表示する死角表示装置に関する。
【背景技術】
【０００２】
従来、死角表示装置として、例えば、特開平６−１８３２９８号公報に記載されるように、車両のボンネットの右前部のフェンダーミラー内に設けられたカメラ（撮像手段）で左側の死角領域の映像を取得すると共に、左前部のフェンダーミラー内設けられたカメラで右側の死角領域の映像を取得し、取得した映像をルームミラー隣のモニタやカーナビ用のモニタなどの運転席近傍に設けられたモニタ（死角領域表示手段）に表示するものが知られている。
【特許文献１】特開平６−１８３２９８号公報
【発明の開示】
【発明が解決しようとする課題】
【０００３】
しかしながら、このような死角表示装置にあっては、死角領域の映像を表示するためのモニタが運転席近傍に設けられており、運転者が確認したい死角領域の位置と、その映像が表示される位置とが異なっている。従って、運転者が確認したい死角領域の映像を見るために、当該死角領域とは異なる方向に視線を移動させる必要が生じていたため、運転者が違和感を覚えてしまうという問題が生じていた。
【０００４】
本発明は、このような問題を解決するためになされたものであり、運転者が違和感を覚えることなく死角領域の映像を確認することのできる死角表示装置を提供することを目的とする。
【課題を解決するための手段】
【０００５】
本発明に係る死角表示装置は、運転者の視界が遮られることにより生じる車両前側の低位置における死角領域のうち、所定位置の映像を取得する撮像手段と、車内に設けられ、映像を表示する死角領域表示手段と、を備え、死角領域表示手段は、表示される所定位置と運転者の視点位置との間に配置されていることを特徴とする。
【０００６】
この死角表示装置では、死角領域のうち運転者が確認したい所定位置の映像が撮像手段によって取得されると共に車内に設けられた死角領域表示手段によって表示される。また、この死角領域表示手段は、所定位置と運転者の視点位置との間に配置されているため、死角領域のうち運転者が確認したい所定位置に対応する方向で当該所定位置の映像を表示することができる。これによって、確認したい所定位置と異なる方向に視線を移動させずに、運転者が違和感を覚えることなく死角領域の映像を確認することができる。
【０００７】
本発明に係る死角表示装置において、撮像手段は、死角領域のうちの助手席側の所定位置の映像を取得し、死角領域表示手段は、インストルメントパネルの助手席側に設けられたモニタによって構成されていることが好ましい。助手席側のインストルメントパネルに設けられたモニタによって、運転者にとって特に見難い助手席側の死角領域の映像を違和感無く確認することができる。
【０００８】
本発明に係る死角表示装置において、撮像手段は、死角領域のうちの助手席側のフロントフェンダー横側位置の映像を取得し、死角領域表示手段は、運転者の視点位置とフロントフェンダー横側位置との間に配置されていることが好ましい。運転者の視点位置とフロントフェンダー横側位置との間に死角領域表示手段が配置されているため、運転者にとって特に見難く、障害物を巻き込む可能性の高い死角領域であるフロントフェンダー横側位置の映像を違和感無く確認することができる。
【０００９】
本発明に係る死角表示装置において、車両のボンネット上に設けられ、死角領域のうちの助手席側のフロントフェンダー横側の様子を映す補助ミラーを更に備え、撮像手段は、死角領域のうちの助手席側のフロントフェンダー横側位置の映像を取得し、死角領域表示手段は、運転者の視点位置と補助ミラーとの間に配置されていることが好ましい。補助ミラーのサイズは小さく運転者にとって見難いという問題があったが、運転者の視点位置と補助ミラーとの間に死角領域表示手段が配置されているため、補助ミラーに映されるフロントフェンダー横側位置の様子を映像によって見易く、且つ、違和感無く確認することができる。
【００１０】
本発明に係る死角表示装置において、車両の走行状態を推定する走行状態推定手段と、運転者の運転を支援するための支援映像を表示する運転支援用表示手段とを更に備え、走行状態推定手段は、車両の車速が所定の閾値以下である場合に、低速状態にあると推定し、死角領域表示手段は、走行状態推定手段により車両が低速状態にあると推定された場合に、映像を表示し、運転支援用表示手段は、走行状態推定手段により車両が低速状態にあると推定された場合に、支援映像を非表示とすることが好ましい。例えば、車両が駐車位置から出発するときや、狭い路地を曲がるときなどの低速状態にある場合は、車両前側の低位置を確認する必要があるが、このような場合に死角領域表示手段で死角領域の映像を表示することによって、出発の際や狭い路地を曲がる際の安全性を確保することができる。また、低速状態にある場合は、運転支援用表示手段を非表示とすることによって、運転者を死角領域表示手段の映像に集中させることができる。
【００１１】
本発明に係る死角表示装置において、車両の走行状態を推定する走行状態推定手段を更に備え、走行状態推定手段は、車両の車速が所定の閾値より大きい場合に、高速状態にあると推定し、死角領域表示手段は、走行状態推定手段により車両が高速状態にあると推定された場合に、映像を非表示とすることが好ましい。車両が高速状態にあるときは、死角領域表示手段の映像が流れてしまい、表示されているものの判別がつかなくなってしまうが、このような場合に映像を非表示とすることによって、運転者を運転に集中させることができる。
【００１２】
本発明に係る死角表示装置において、車両の走行状態を推定する走行状態推定手段を更に備え、走行状態推定手段は、車両が後退状態であるか否かを推定し、死角領域表示手段は、走行状態推定手段により車両が後退状態にあると推定された場合に、映像を非表示とすることが好ましい。車両が後退状態にある場合は、運転者が後方に注意して運転する必要があるため、このような場合に映像を非表示とすることによって、運転者を運転に集中させることができる。
【発明の効果】
【００１３】
本発明によれば、運転者が違和感を覚えることなく死角領域の映像を確認することができる。
【発明を実施するための最良の形態】
【００１４】
以下、図面を参照して、本発明に係る死角装置の好適な実施形態について詳細に説明する。なお、本明細書中において、車両の進行方向を「前方」と定め、車内から見たときの左右方向を「左」、「右」と定め、「前」、「後」、「左」、「右」等の方向を表す語を用いることとする。
【００１５】
図１は本発明の実施形態に係る死角表示装置のブロック構成を示した図、図２は本発明の実施形態に係る死角表示装置を搭載した車両を外部から見た様子を示した図であり（ａ）が車両を上方から見た図、（ｂ）が車両を側面から見た図、図３は本発明の実施形態に係る死角表示装置を搭載した車両内の様子を示した図である。
【００１６】
図１に示すように、死角表示装置１は、ＥＣＵ（Electronic Control Unit）２、死角領域撮像カメラ（撮像手段）３、運転支援用カメラ４、車速検出部６、シフトポジション検出部７、表示スイッチ８、死角領域表示モニタ（死角領域表示手段）９、運転支援用モニタ（運転支援用表示手段）１１を備えている。この死角表示装置１は、図２に示すように、ボンネット２０やサイドドア２１などによって運転者Ｄの視界が遮られることによって生じる、車両前側の低位置における死角領域Ｂの映像を表示するものである。死角領域Ｂは、ボンネット２０及びサイドドア２１よりも低い位置において車両前側全体を取り囲むように形成されており、死角表示装置１では、死角領域Ｂのうちの特に確認が必要とされる所定位置の映像を表示するものとする。本実施形態においては、駐車場所から出発する際や狭い路地で曲がる際などに障害物を巻き込む可能性の高い、助手席側のフロントフェンダー２２の横側位置Ｆの映像を表示する場合について説明する。なお、フロントフェンダー２２は、車両のボディーのうち前輪２３の上側を取り囲むようにアーチ状に湾曲した部分である。
【００１７】
図１に戻り、死角領域撮像カメラ３は、運転者Ｄの視界が遮られることにより生じる車両前側の低位置における死角領域Ｂのうちのフロントフェンダー横側位置Ｆの映像を取得する機能を有する。死角領域撮像カメラ３は、車両のボンネット２０上の左端に設けられた補助ミラー２４に搭載されるＣＣＤカメラなどによって構成されている（図２，３参照）。なお、この死角領域撮像カメラ３は、この死角領域撮像カメラ３は、取得した映像を電気信号としてＥＣＵ２へ送信する。なお、補助ミラー２４，２６は、死角領域Ｂのうちのフロントフェンダー横側の様子を映す機能を有しており、ドアミラーを補助するものとして機能するミラーである。
【００１８】
運転支援用カメラ４は、運転者Ｄの運転を支援するための種々の映像を取得するためのカメラである。運転支援用カメラ４としては、例えば、夜間の運転を支援すべく車両周辺の暗視映像を取得するために車両前側に設けられた暗視カメラや、駐車の際の後退動作を支援すべく車両後方の映像を取得するために車両後側に設けられたＣＣＤカメラなどが挙げられる。
【００１９】
車速検出部６は、例えば車輪の回転数を計測することによって、車両の車速を検出する機能を有する。シフトポジション検出部７は、車両のシフトレバーのシフトポジションを検出する機能を有する。各検出部は、取得した検出結果をＥＣＵ２へ出力する機能をそれぞれ有する。
【００２０】
表示スイッチ８は、死角領域撮像カメラ３で取得した映像を死角領域表示モニタ９に表示させるか否かのＯＮ／ＯＦＦを運転者が切り替えるためのものであり、例えば、死角領域表示モニタ９に設けられたスイッチなどで構成される。
【００２１】
死角領域表示モニタ９は、車内に設けられ、死角領域撮像カメラ３で取得した映像を運転者Ｄに表示する機能を有している。図２及び図３に示すように、この死角領域表示モニタ９は、インストルメントパネル２７の助手席側の略中央位置に設けられた液晶ディスプレイによって構成されており、フロントフェンダー横側位置Ｆと運転者Ｄの視点位置Ｐとの間に配置されている。具体的には、死角領域表示モニタ９は、運転者Ｄの視点位置（瞳の位置）Ｐとフロントフェンダー横側位置Ｆとを結ぶ直線Ｌ上に配置されている。フロントフェンダー横側位置Ｆは、所定の広さを持った領域であるため、直線Ｌの終端をどこで定義してもよいが、図２においては、フロントフェンダー横側位置Ｆの中心点ＦＣを終端として定義している。この直線Ｌは、運転者Ｄの体格や姿勢などによって始端となる視点位置Ｐが変動すると共に、死角領域撮像カメラ３の向きや性能などによって終端が変動するため一定に定まるものではない。従って、死角領域表示モニタ９は、完全に直線Ｌ上に配置されていなくても、運転者Ｄが違和感を覚えない範囲であれば直線Ｌから所定距離離間した位置に配置されていてもよい。
【００２２】
運転支援用モニタ１１は、運転者Ｄの運転を支援するための種々の映像を表示する機能を有している。運転支援用モニタ１１としては、例えば、インストルメントパネル２７の下側で運転席と助手席の間に設けられたディスプレイなどが挙げられ、カーナビ情報や、運転支援用カメラ４で取得された暗視映像や車両後側の映像などが表示される。なお、運転支援用モニタ１１は車両内に複数設けられていてもよい。
【００２３】
ＥＣＵ２は、装置全体の制御を行う電子制御ユニットであり、例えばＣＰＵを主体として構成され、ＲＯＭ、ＲＡＭ、入力信号回路、出力信号回路、電源回路などを備えている。このＥＣＵ２は、車両の走行状態を推定する走行状態推定手段として機能する。
【００２４】
ＥＣＵ２は、具体的には、各検出部からの検出結果に基づいて、車両が低速前進状態にあるか否か、車両が高速前進状態にあるか否か、車両が後退状態にあるか否かなどを推測する。また、ＥＣＵ２は、車両の走行状態の推定結果に基づいて、死角領域表示モニタ９の表示／非表示の制御を行うと共に、運転支援用モニタ１１の画面の切り替え及び表示／非表示の制御を行う機能を有している。
【００２５】
次に、図４を参照して、本実施形態に係る死角表示装置１の動作について説明する。
【００２６】
図４は、本実施形態に係る死角表示装置１における死角領域表示処理を示すフローチャートである。この処理は、ＥＣＵ２において、車両の走行中に所定のタイミングで繰り返し実行される。
【００２７】
図４に示すように、死角表示装置１は、死角領域Ｂのうちのフロントフェンダー横側位置Ｆの映像を取得する映像取得処理から処理を開始する（Ｓ１０）。Ｓ１０の処理は、死角領域撮像カメラ３で取得したフロントフェンダー横側位置Ｆの映像を取得する処理である。Ｓ１０の処理が終了すると、車速取得処理へ移行する（Ｓ１２）。
【００２８】
Ｓ１２の処理は、車速検出部６から送信された情報に基づいて車両の速度を取得する処理である。Ｓ１２の処理が終了すると、シフトポジション取得処理へ移行する（Ｓ１４）。Ｓ１４の処理は、シフトポジション検出部７から送信された情報に基づいてシフトポジションを取得する処理である。Ｓ１４の処理が終了すると、表示スイッチＯＮ／ＯＦＦ取得処理へ移行する（Ｓ１６）。Ｓ１６の処理は、表示スイッチ８がＯＮとされているかＯＦＦとされているかに関する情報を取得する処理である。Ｓ１６の処理が終了すると、表示スイッチ判定処理へ移行する（Ｓ１８）。
【００２９】
Ｓ１８の処理は、Ｓ１６で取得した情報に基づいて表示スイッチがＯＮとされているか否かを判定する処理である。Ｓ１６において、表示スイッチがＯＮとされていないと判定された場合、図４の処理は終了し、再びＳ１０の処理へ戻る。一方、Ｓ１８において、表示スイッチがＯＮとされていると判定された場合、低速前進状態判定処理へ移行する（Ｓ２０）。
【００３０】
Ｓ２０の処理は、Ｓ１２で取得した車速情報及びＳ１４で取得したシフトポジション情報に基づいて、シフトポジションがＰ、Ｄ、あるいはＮに設定されており、かつ、車速が所定の閾値Ｖｋｍ／ｈ以下であるか否かを判定する処理である。所定の閾値Ｖは８〜１０ｋｍ／ｈに設定される。Ｓ２０において、シフトポジションがＰ、Ｄ、あるいはＮに設定されており、かつ、車速が閾値Ｖｋｍ／ｈ以下であると判定された場合、車両が低速直進状態にあると判断され、死角領域表示処理へ移行する（Ｓ２２）。
【００３１】
Ｓ２２の処理は、Ｓ１０で取得したフロントフェンダー横側位置Ｆの映像を死角領域表示モニタ９に表示する処理である。Ｓ２２の処理が終了すると、運転支援用モニタ非表示処理へ移行する（Ｓ２４）。Ｓ２４の処理は、運転支援用モニタ１１におけるカーナビ情報や暗視映像などの表示を非表示とする処理である。Ｓ２４の処理が終了すると、図４の処理は終了し、再びＳ１０の処理へ戻る。
【００３２】
一方、Ｓ２０において、シフトポジションがＰ、Ｄ、あるいはＮに設定されていない場合、あるいは車速が閾値Ｖｋｍ／ｈよりも大きい場合は、車両が低速直進状態にないと判断され、後退状態判定処理へ移行する（Ｓ２６）。Ｓ２６の処理は、Ｓ１４で取得したシフトポジション情報に基づいてシフトポジションがＲに設定されているか否かを判定する処理である。Ｓ２６において、シフトポジションがＲに設定されていると判定された場合、車両が後退状態にあると判断され、死角領域非表示処理へ移行する（Ｓ２８）。
【００３３】
Ｓ２８の処理は、死角領域表示モニタ９にフロントフェンダー横側位置Ｆの映像が表示されていた場合に死角領域表示モニタ９を非表示とし、既に非表示とされている場合は、その非表示状態を維持する処理である。Ｓ２８の処理が終了すると、後方映像表示処理へ移行する（Ｓ３０）。Ｓ３０の処理は、運転支援用モニタ１１に後方映像を表示する処理である。Ｓ３０の処理が終了すると、図４の処理は終了し、再びＳ１０の処理へ戻る。
【００３４】
一方、Ｓ２６において、シフトポジションがＲに設定されていないと判定された場合、車速がＶｋｍ／ｈより大きく高速直進状態にあると判断され、死角領域非表示処理へ移行する（Ｓ３２）。Ｓ３２の処理は、死角領域表示モニタ９にフロントフェンダー横側位置Ｆの映像が表示されていた場合に死角領域表示モニタ９を非表示とし、既に非表示とされている場合は、その非表示状態を維持する処理である。Ｓ３２の処理が終了すると、暗視映像表示処理へ移行する（Ｓ３４）。Ｓ３４の処理は、運転支援用モニタ１１に暗視映像を表示する処理である。Ｓ３４の処理が終了すると、図４の処理は終了し、再びＳ１０の処理へ戻る。
【００３５】
このように、実施形態に係る死角表示装置１においては、死角領域Ｂのうち運転者が確認したい所定位置Ｆの映像が死角領域撮像カメラ３によって取得されると共に車内に設けられた死角領域表示モニタ９によって表示される。また、この死角領域表示モニタ９は、所定位置Ｆと運転者Ｄの視点位置Ｐとの間に配置されているため、死角領域Ｂのうち運転者Ｄが確認したい所定位置Ｆに対応する方向で当該所定位置Ｆの映像を表示することができる。これによって、確認したい所定位置Ｆと異なる方向に視線を移動させずに、運転者Ｄが違和感を覚えることなく死角領域Ｂの映像を確認することができる。
【００３６】
一方、従来の死角領域表示装置であれば、取得した死角領域の映像が運転支援用モニタ１１や車内のバックミラーの横に設けられた補助モニタ３０などの運転席近傍に設けられているモニタに表示されていた。従って、運転者Ｄが確認したい死角領域の映像を見るために、当該死角領域とは異なる方向に視線を移動させる必要が生じていたため、運転者が違和感を覚えてしまうという問題が生じていた。
【００３７】
本実施形態に係る死角表示装置１において、死角領域表示モニタ９は、助手席側のインストルメントパネル２７に設けられたディスプレイによって構成されているため、運転者Ｄにとって特に見難い助手席側の死角領域Ｂの映像を違和感無く確認することができる。
【００３８】
また、運転者Ｄの視点位置Ｐとフロントフェンダー横側位置Ｆとの間に死角領域表示モニタ９が配置されているため、運転者Ｄにとって特に見難く、障害物を巻き込む可能性の高い死角領域であるフロントフェンダー横側位置Ｆの映像を違和感無く確認することができる。
【００３９】
また、死角領域表示モニタ９は、ＥＣＵ２により車両が低速状態にあると推定された場合に、映像を表示し、運転支援用モニタ１１は、ＥＣＵ２により車両が低速状態にあると推定された場合に、支援用の映像を非表示とする。これによって、例えば、車両が駐車位置から出発するときや、狭い路地を曲がるときなどの低速状態にある場合は、フロントフェンダー横側位置Ｆを確認する必要があるが、このような場合に死角領域表示モニタ９で映像を表示することによって、出発の際や狭い路地を曲がる際の安全性を確保することができる。また、運転支援用モニタ１１を非表示とすることによって、運転者をフロントフェンダー横側位置Ｆの映像に集中させることができる。なお、運転支援用モニタ１１以外に車内にモニタが設置されていた場合はそれらも非表示としてよい。
【００４０】
また、車両が高速前進状態にあるときは、死角領域表示モニタ９の映像が流れてしまい、表示されているものの判別がつかなくなってしまうが、このような場合に映像を非表示とすることによって、運転者を運転に集中させることができる。また、車両が後退状態にある場合は、運転者が後方に注意して運転する必要があるため、このような場合に映像を非表示とすることによって、運転者を運転に集中させることができる。また、その際に車両後方の映像を運転支援用モニタ１１に表示することで、後退時の安全を確保することができる。
【００４１】
本発明は、上述した実施形態に限定されるものではない。
【００４２】
例えば、本実施形態に係る死角表示装置１では、死角領域表示モニタ９は、インストルメントパネル２７におけるフロントフェンダー横側位置Ｆと運転者Ｄの視点位置Ｐとの間に配置されているが、これに代えて、図５及び図６に示すように、インストルメントパネル２７における運転者Ｄの視点位置Ｐと補助ミラー２４との間に死角領域表示モニタ１９を配置してもよい。補助ミラー２４のサイズは小さく運転者Ｄにとって見難いという問題があったが、運転者Ｄの視点位置Ｐと補助ミラー２４との間に死角領域表示モニタ１９が配置されているため、補助ミラー２４に映されるフロントフェンダー横側位置Ｆの様子を映像によって見易く、且つ、違和感無く確認することができる。
【００４３】
また、死角領域表示モニタ９は、インストルメントパネル２７に設けられた液晶ディスプレイなどによって構成されているが、これに限定されない。例えば、車両の窓ガラス上に映像を表示するヘッドアップディスプレイに表示してもよい。また、液晶ディスプレイもインストルメントパネル２７以外の位置に設けても良い。
【００４４】
また、死角領域Ｂのうち、フロントフェンダー横側位置Ｆの映像を表示させたが、これに限定されず、死角領域Ｂの範囲内であればどの部分の映像を表示させてもよい。助手席側の死角位置のみならず、運転席側の死角位置でもよい。この場合は、表示させる位置に対応して車内の死角領域表示モニタ９の位置も変動する。なお、表示させる映像と死角領域表示モニタ９の位置を調節することにより、当該モニタ部分で車両の壁が透けたように、死角領域の様子を確認することが可能となる。
【図面の簡単な説明】
【００４５】
【図１】本発明の実施形態に係る死角表示装置のブロック構成を示した図である。
【図２】本発明の実施形態に係る死角表示装置を搭載した車両を外部から見た様子を示した図であり（ａ）が車両を上方から見た図、（ｂ）が車両を側面から見た図である。
【図３】は本発明の実施形態に係る死角表示装置を搭載した車両内の様子を示した図である。
【図４】本実施形態に係る死角表示装置における死角領域表示処理を示すフローチャートである。
【図５】変形例に係る死角表示装置を搭載した車両を示す図であり、図２に対応する図である。
【図６】変形例に係る死角表示装置を搭載した車両を示す図であり、図３に対応する図である。
【符号の説明】
【００４６】
１…死角領域表示装置、２…ＥＣＵ（走行状態推定手段）、３…死角領域撮像カメラ（撮像手段）、９，１９…死角領域表示モニタ（死角領域表示手段）、１１…運転支援用モニタ（運転支援用表示手段）、Ｂ…死角領域、Ｆ…フロントフェンダー横側位置（所定位置）。
【図１】
2010030524.tif 000003
【図２】
2010030524.tif 000004
【図３】
2010030524.tif 000005
【図４】
2010030524.tif 000006
【図５】
2010030524.tif 000007
【図６】
2010030524.tif 000008